(57)【要約】【課題】本発明は、２灯の光源の光量を適切に調整して光電変換素子の出力レベルを適切に設定し、良好な画像品質の読取画像を得る画像読取装置に関する。【解決手段】スキャナ１は、読取部制御回路２１が、原稿の読取前に、２灯のＬＥＤ５ａ、５ｂをＬＥＤ駆動ドライバ２２、２３に独立して所定光量で順次点灯させて、各ＬＣＤ５ａ、５ｂを独立して順次点灯させたときの白基準板からの反射光のＣＣＤ１０の光電変換量に基づいて、原稿読取時の２灯のＬＥＤ５ａ、５ｂを同時に点灯させたときの設定光量を各ＬＣＤ５ａ、５ｂ毎に、ＬＥＤ駆動ドライバ２２、２３に設定し、原稿の読取時に、ＬＥＤ駆動ドライバ２２、２３が、当該設定光量で２灯のＬＥＤ５ａ、５ｂをそれぞれ点灯駆動させる。【選択図】          図３
2005151269.tif 000002
【特許請求の範囲】
【請求項１】
相対向して配置された２灯の光源から原稿に光を照射して当該原稿からの反射光を光電変換手段に導入して当該光電変換手段が入射光を光電変換することで当該原稿を読み取る画像読取装置において、前記２灯の光源をそれぞれ独立して光量調整する光量調整手段と、前記原稿の読取前に、前記２灯のそれぞれの光源を前記光量調整手段に独立して所定光量で順次点灯させて、当該各光源を独立して順次点灯させたときの所定の基準部材からの反射光の前記光電変換手段の光電変換量に基づいて、前記原稿読取時の当該２灯の光源を同時に点灯させたときの設定光量を前記各光源毎に前記光量調整手段に設定する制御手段と、を備え、前記原稿の読取時に、前記光量調整手段が前記設定光量で前記２灯の光源をそれぞれ点灯駆動させることを特徴とする画像読取装置。
【請求項２】
前記制御手段は、前記２灯の光源をそれぞれ独立して点灯させて前記光量調整手段に設定光量を設定した後、前記光量調整手段に前記２灯の光源を当該設定光量で同時に点灯させ、当該２灯の光源を同時に点灯させたときの前記光電変換手段の光電変換量に基づいて、前記光量調整手段の各光源の前記設定光量を補正し、前記原稿の読取時に、前記光量調整手段が前記補正後の設定光量で前記２灯の光源をそれぞれ点灯駆動させることを特徴とする請求項１記載の画像読取装置。
【請求項３】
相対向して配置された２灯の光源から原稿に光を照射して当該原稿からの反射光を光電変換手段に導入して当該光電変換手段が入射光を光電変換することで当該原稿を読み取る画像読取装置において、前記２灯の光源をそれぞれ独立して光量調整する光量調整手段と、前記原稿の読取前に、前記２灯の光源のうちのいずれか１灯の光源を前記光量調整手段に所定光量で点灯させて、当該１灯の光源を点灯させたときの所定の基準部材からの反射光の前記光電変換手段の光電変換量に基づいて、前記原稿読取時の当該２灯の光源を同時に点灯させたときの設定光量を前記各光源毎に前記光量調整手段に設定する制御手段と、を備え、前記原稿の読取時に、前記光量調整手段が前記設定光量で前記２灯の光源をそれぞれ点灯駆動させることを特徴とする画像読取装置。
【請求項４】
前記制御手段は、前記２灯の光源をそれぞれ前記光量調整手段に独立して所定光量で順次点灯させたときの前記光電変換手段の出力光量に基づいて、当該光源の不点灯、当該光源の主走査方向の一部分の光量不足等の光源異常現象の有無を検出して、当該光源異常現象から読取画像に異常画像が発生するか否かを判断し、当該異常画像が発生すると判断すると、当該異常現象のある光源の点灯を消灯させるものとして、前記光量調整手段に設定するとともに、前記原稿読取時の他の光源の設定光量を前記光量調整手段に設定し、前記光量調整手段が、原稿読取時に、前記消灯の指示された光源の点灯を消灯させるとともに、他の光源を前記設定光量で点灯駆動させることを特徴とする請求項１または請求項２記載の画像読取装置。
【請求項５】
前記制御手段は、前記点灯させる側の光源の前記設定光量を、本来の１灯分の目標光量よりも高めの光量に前記光量調整手段に設定することを特徴とする請求項４記載の画像読取装置。
【発明の詳細な説明】
【技術分野】
【０００１】
本発明は、画像読取装置に関し、詳細には、２灯の光源の光量を適切に調整して光電変換手段の出力レベルを適切に設定し、良好な画像品質の読取画像を得る画像読取装置に関する。
【背景技術】
【０００２】
スキャナ、複写装置、ファクシミリ装置等の画像読取装置は、光源として、蛍光灯、Ｘｅ（キセノン）管あるいはＬＥＤ（Light Emitting Diode）等が用いられている。画像読取装置は、この光源から原稿に光を照射して、原稿からの反射光をＣＣＤ（Charge Coupled Device ）等の光電変換素子に入射し、光電変換素子で電気信号に変換して原稿の画像を読み取っている。
【０００３】
したがって、画像読取装置においては、光源の光量が適切であることが原稿の画像を良好な状態で読み取る上で重要である。
【０００４】
そこで、従来から光源の光量調整を行う画像読取装置が種々提案されており、例えば、特許文献１では、光源の点灯から所定時間後にイメージセンサに結像する光の波長分布を検出して、この検出結果の波長分布に基づいて光源あるいはこの光源周辺の温度を推定し、この温度に基づいて光源への供給電力量を制御する技術が開示されている。
【０００５】
また、従来、本出願人は、先に、シェーディング補正用の基準白板の読み取り時の照射光量が原稿読み取り時の照射光量と異なるように調光する技術を開示している（特許文献２参照）。
【０００６】
【特許文献１】特開２００２−２０９０５８号公報
【特許文献２】特開平１１−１８７２６２号公報
【発明の開示】
【発明が解決しようとする課題】
【０００７】
しかしながら、上記従来技術にあっては、複数の光源を使用した画像読取装置については考慮されておらず、改良の必要があった。
【０００８】
すなわち、従来、光量不足になると、適切に原稿の画像を読み取ることができないため、従来から光源を２灯使用した構成として原稿を読み取っている画像読取装置がある。このような複数、例えば、２灯の光源を用いた場合、複数の光源がバランスよく原稿面を照射する必要がある。
【０００９】
ところが、各々の光源の光量はばらつきがあり、２灯構成にすると、光源全体としてのばらつきが２倍となり、ＣＣＤ等の受光素子への最適な出力レベルを得るには、設計上非常に難しい構成となっている。
【００１０】
特に、２灯構成の光源で、２倍のばらつきを考慮すると、ＣＣＤの飽和電圧以下に光源の出力レベルの上限を抑える必要があるため、目標値となるＣＣＤ出力レベルを低くする必要があり、Ｓ／Ｎが低下して、画質劣化の一因となる。
【００１１】
そこで、請求項１記載の発明は、相対向して配置された２灯の光源から原稿に光を照射して当該原稿からの反射光を光電変換手段に導入して当該光電変換手段が入射光を光電変換することで当該原稿を読み取るに際して、制御手段が、当該原稿の読取前に、２灯のそれぞれの光源を光量調整手段に独立して所定光量で順次点灯させて、当該各光源を独立して順次点灯させたときの所定の基準部材からの反射光の光電変換手段の光電変換量に基づいて、原稿読取時の当該２灯の光源を同時に点灯させたときの設定光量を各光源毎に、２灯の光源をそれぞれ独立して光量調整する光量調整手段に設定し、当該原稿の読取時に、光量調整手段が、当該設定光量で２灯の光源をそれぞれ点灯駆動させることにより、適正な光量を各光源に対して設定して点灯して、２灯同時点灯時においても、十分な光電変換手段の出力レベルを得ることができるようにするとともに、Ｓ／Ｎをも向上させ、読取画像の画像品質を向上させる画像読取装置を提供するを目的としている。
【００１２】
請求項２記載の発明は、制御手段が、２灯の光源をそれぞれ独立して点灯させて光量調整手段に設定光量を設定した後、光量調整手段に２灯の光源を当該設定光量で同時に点灯させ、当該２灯の光源を同時に点灯させたときの光電変換手段の光電変換量に基づいて、光量調整手段の各光源の設定光量を補正し、原稿の読取時に、光量調整手段が、補正後の設定光量で２灯の光源をそれぞれ点灯駆動させることにより、より一層適正な光量を各光源に対して設定して点灯して、２灯同時点灯時においても、より一層適切な光電変換手段の出力レベルを得ることができるようにするとともに、Ｓ／Ｎをもより一層向上させ、読取画像の画像品質をより一層向上させる画像読取装置を提供するを目的としている。
【００１３】
請求項３記載の発明は、相対向して配置された２灯の光源から原稿に光を照射して当該原稿からの反射光を光電変換手段に導入して当該光電変換手段が入射光を光電変換することで当該原稿を読み取るに際して、制御手段が、原稿の読取前に、２灯の光源のうちのいずれか１灯の光源を光量調整手段に所定光量で点灯させて、当該１灯の光源を点灯させたときの所定の基準部材からの反射光の光電変換手段の光電変換量に基づいて、原稿読取時の当該２灯の光源を同時に点灯させたときの設定光量を各光源毎に、２灯の光源をそれぞれ独立して光量調整する光量調整手段に設定し、原稿の読取時に、光量調整手段が、設定光量で２灯の光源をそれぞれ点灯駆動させることにより、少ない光源の点灯回数で、適正な光量を各光源に対して設定して点灯して、２灯同時点灯時においても、十分な光電変換手段の出力レベルを得ることができるようにするとともに、簡単にＳ／Ｎをも向上させ、読取画像の画像品質を向上させる画像読取装置を提供するを目的としている。
【００１４】
請求項４記載の発明は、制御手段が、２灯の光源をそれぞれ光量調整手段に独立して所定光量で順次点灯させたときの光電変換手段の出力光量に基づいて、当該光源の不点灯、当該光源の主走査方向の一部分の光量不足等の光源異常現象の有無を検出して、当該光源異常現象から読取画像に異常画像が発生するか否かを判断し、当該異常画像が発生すると判断すると、当該異常現象のある光源の点灯を消灯させるものとして、光量調整手段に設定するとともに、原稿読取時の他の光源の設定光量を光量調整手段に設定し、光量調整手段が、原稿読取時に、消灯の指示された光源の点灯を消灯させるとともに、他の光源を設定光量で点灯駆動させることにより、光源に異常がある場合にも、適正な光量を光源に対して設定して点灯して、十分な光電変換手段の出力レベルを得ることができるようにするとともに、簡単にＳ／Ｎをも向上させ、読取画像の画像品質を向上させる画像読取装置を提供するを目的としている。
【００１５】
請求項５記載の発明は、制御手段が、点灯させる側の光源の設定光量を、本来の１灯分の目標光量よりも高めの光量に光量調整手段に設定することにより、Ｓ／Ｎをより一層向上させ、読取画像の画像品質を向上させる画像読取装置を提供するを目的としている。
【課題を解決するための手段】
【００１６】
請求項１記載の発明の画像読取装置は、相対向して配置された２灯の光源から原稿に光を照射して当該原稿からの反射光を光電変換手段に導入して当該光電変換手段が入射光を光電変換することで当該原稿を読み取る画像読取装置において、前記２灯の光源をそれぞれ独立して光量調整する光量調整手段と、前記原稿の読取前に、前記２灯のそれぞれの光源を前記光量調整手段に独立して所定光量で順次点灯させて、当該各光源を独立して順次点灯させたときの所定の基準部材からの反射光の前記光電変換手段の光電変換量に基づいて、前記原稿読取時の当該２灯の光源を同時に点灯させたときの設定光量を前記各光源毎に前記光量調整手段に設定する制御手段と、を備え、前記原稿の読取時に、前記光量調整手段が前記設定光量で前記２灯の光源をそれぞれ点灯駆動させることにより、上記目的を達成している。
【００１７】
この場合、例えば、請求項２に記載するように、前記制御手段は、前記２灯の光源をそれぞれ独立して点灯させて前記光量調整手段に設定光量を設定した後、前記光量調整手段に前記２灯の光源を当該設定光量で同時に点灯させ、当該２灯の光源を同時に点灯させたときの前記光電変換手段の光電変換量に基づいて、前記光量調整手段の各光源の前記設定光量を補正し、前記原稿の読取時に、前記光量調整手段が前記補正後の設定光量で前記２灯の光源をそれぞれ点灯駆動させるものであってもよい。
【００１８】
請求項３記載の発明の画像読取装置は、相対向して配置された２灯の光源から原稿に光を照射して当該原稿からの反射光を光電変換手段に導入して当該光電変換手段が入射光を光電変換することで当該原稿を読み取る画像読取装置において、前記２灯の光源をそれぞれ独立して光量調整する光量調整手段と、前記原稿の読取前に、前記２灯の光源のうちのいずれか１灯の光源を前記光量調整手段に所定光量で点灯させて、当該１灯の光源を点灯させたときの所定の基準部材からの反射光の前記光電変換手段の光電変換量に基づいて、前記原稿読取時の当該２灯の光源を同時に点灯させたときの設定光量を前記各光源毎に前記光量調整手段に設定する制御手段と、を備え、前記原稿の読取時に、前記光量調整手段が前記設定光量で前記２灯の光源をそれぞれ点灯駆動させることにより、上記目的を達成している。
【００１９】
上記請求項１または請求項２の場合、例えば、請求項４に記載するように、前記制御手段は、前記２灯の光源をそれぞれ前記光量調整手段に独立して所定光量で順次点灯させたときの前記光電変換手段の出力光量に基づいて、当該光源の不点灯、当該光源の主走査方向の一部分の光量不足等の光源異常現象の有無を検出して、当該光源異常現象から読取画像に異常画像が発生するか否かを判断し、当該異常画像が発生すると判断すると、当該異常現象のある光源の点灯を消灯させるものとして、前記光量調整手段に設定するとともに、前記原稿読取時の他の光源の設定光量を前記光量調整手段に設定し、前記光量調整手段が、原稿読取時に、前記消灯の指示された光源の点灯を消灯させるとともに、他の光源を前記設定光量で点灯駆動させるものであってもよい。
【００２０】
また、例えば、請求項５に記載するように、前記制御手段は、前記点灯させる側の光源の前記設定光量を、本来の１灯分の目標光量よりも高めの光量に前記光量調整手段に設定するものであってもよい。
【発明の効果】
【００２１】
請求項１記載の発明の画像読取装置によれば、相対向して配置された２灯の光源から原稿に光を照射して当該原稿からの反射光を光電変換手段に導入して当該光電変換手段が入射光を光電変換することで当該原稿を読み取るに際して、制御手段が、当該原稿の読取前に、２灯のそれぞれの光源を光量調整手段に独立して所定光量で順次点灯させて、当該各光源を独立して順次点灯させたときの所定の基準部材からの反射光の光電変換手段の光電変換量に基づいて、原稿読取時の当該２灯の光源を同時に点灯させたときの設定光量を各光源毎に、２灯の光源をそれぞれ独立して光量調整する光量調整手段に設定し、当該原稿の読取時に、光量調整手段が、当該設定光量で２灯の光源をそれぞれ点灯駆動させるので、適正な光量を各光源に対して設定して点灯して、２灯同時点灯時においても、十分な光電変換手段の出力レベルを得ることができるとともに、Ｓ／Ｎをも向上させることができ、読取画像の画像品質を向上させることができる。
【００２２】
請求項２記載の発明の画像読取装置によれば、制御手段が、２灯の光源をそれぞれ独立して点灯させて光量調整手段に設定光量を設定した後、光量調整手段に２灯の光源を当該設定光量で同時に点灯させ、当該２灯の光源を同時に点灯させたときの光電変換手段の光電変換量に基づいて、光量調整手段の各光源の設定光量を補正し、原稿の読取時に、光量調整手段が、補正後の設定光量で２灯の光源をそれぞれ点灯駆動させるので、より一層適正な光量を各光源に対して設定して点灯して、２灯同時点灯時においても、より一層適切な光電変換手段の出力レベルを得ることができるとともに、Ｓ／Ｎをもより一層向上させることができ、読取画像の画像品質をより一層向上させることができる。
【００２３】
請求項３記載の発明の画像読取装置によれば、相対向して配置された２灯の光源から原稿に光を照射して当該原稿からの反射光を光電変換手段に導入して当該光電変換手段が入射光を光電変換することで当該原稿を読み取るに際して、制御手段が、原稿の読取前に、２灯の光源のうちのいずれか１灯の光源を光量調整手段に所定光量で点灯させて、当該１灯の光源を点灯させたときの所定の基準部材からの反射光の光電変換手段の光電変換量に基づいて、原稿読取時の当該２灯の光源を同時に点灯させたときの設定光量を各光源毎に、２灯の光源をそれぞれ独立して光量調整する光量調整手段に設定し、原稿の読取時に、光量調整手段が、設定光量で２灯の光源をそれぞれ点灯駆動させるので、少ない光源の点灯回数で、適正な光量を各光源に対して設定して点灯して、２灯同時点灯時においても、十分な光電変換手段の出力レベルを得ることができるとともに、簡単にＳ／Ｎをも向上させることができ、読取画像の画像品質を向上させることができる。
【００２４】
請求項４記載の発明の画像読取装置によれば、制御手段が、２灯の光源をそれぞれ光量調整手段に独立して所定光量で順次点灯させたときの光電変換手段の出力光量に基づいて、当該光源の不点灯、当該光源の主走査方向の一部分の光量不足等の光源異常現象の有無を検出して、当該光源異常現象から読取画像に異常画像が発生するか否かを判断し、当該異常画像が発生すると判断すると、当該異常現象のある光源の点灯を消灯させるものとして、光量調整手段に設定するとともに、原稿読取時の他の光源の設定光量を光量調整手段に設定し、光量調整手段が、原稿読取時に、消灯の指示された光源の点灯を消灯させるとともに、他の光源を設定光量で点灯駆動させるので、光源に異常がある場合にも、適正な光量を光源に対して設定して点灯して、十分な光電変換手段の出力レベルを得ることができるとともに、簡単にＳ／Ｎをも向上させることができ、読取画像の画像品質を向上させることができる。
【００２５】
請求項５記載の発明の画像読取装置によれば、制御手段が、点灯させる側の光源の設定光量を、本来の１灯分の目標光量よりも高めの光量に光量調整手段に設定するので、Ｓ／Ｎをより一層向上させることができ、読取画像の画像品質を向上させることができる。
【発明を実施するための最良の形態】
【００２６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２７】
図１〜図６は、本発明の画像読取装置の第１実施例を示す図であり、図１は、本発明の画像読取装置の第１実施例を適用したスキャナ１の正面概略構成図である。なお、本実施例は、請求項１に対応するものである。
【００２８】
図１において、スキャナ１は、本体筐体２の上部にコンタクトガラス３が設けられており、コンタクトガラス３上に、白基準板（所定の基準部材）４が配置されているとともに、原稿Ｇがセットされる。
【００２９】
本体筐体２の内部には、図示しない第１走行体に搭載された光源５と第１ミラー６、図示しない第２走行体に搭載された第２ミラー７と第３ミラー８、レンズ９及びＣＣＤ（Charge Coupled Device ）１０等からなる露光走査光学系１１が配設されており、ＣＣＤ（撮像デバイス）１０は、ＣＣＤ基板１２に取り付けられている。
【００３０】
露光走査光学系１１は、第１走行体と第２走行体が図示しない走行体モータにより水平方向（副走査方向：図１の左右方向）に移動され、第１走行体上の光源５からコンタクトガラス３上に載置された原稿Ｇに光を照射して、当該原稿Ｇで反射された光の反射光を第１走行体上の第１ミラー６で第２走行体方向に反射し、第２走行体上の第２ミラー７及び第３ミラー８で第１走行体から入射される光を順次反射して、レンズ９方向に出射させる。レンズ９は、第２走行体から入射される光をＣＣＤ１０に集光して照射させる。ＣＣＤ（光電変換手段）１０は、１次元に複数の光電変換素子としてＣＣＤ素子が配列されており、レンズ９から入射される入射光を光電変換して、アナログの画像データ（画像信号）を出力する。
【００３１】
そして、露光走査光学系１１は、原稿Ｇの読み取りに先立って、第１走行体と第２走行体を白基準板４を読み取る位置に移動させ、白基準板４を読み取って、シェーディング補正用の基準データを取得する。
【００３２】
上記光源５は、例えば、図２に示すように、ＬＥＤ５ａとＬＥＤ５ｂの２灯で構成されているが、２本のキセノン（Ｘｅ）管で構成されていてもよい。
【００３３】
そして、スキャナ１は、その読取制御部２０とＣＣＤ基板１２が、図３に示すように、構成されており、ＣＣＤ基板１２には、上述のように、ＬＥＤ５ａとＬＥＤ５ｂが設けられている。
【００３４】
読取制御部２０には、読取制御回路２１、ＬＥＤ５ａ用のＬＥＤ駆動ドライバ２２とＬＥＤ５ｂ用のＬＥＤ駆動ドライバ２３及びＬＥＤ電源部２４等が設けられており、ＬＥＤ電源部２４からＣＣＤ基板１２の各ＬＥＤ５ａ、ＬＥＤ５ｂに駆動電源を供給する。
【００３５】
ＬＥＤ駆動ドライバ（光量調整手段）２２とＬＥＤ駆動ドライバ（光量調整手段）２３は、ＬＥＤ５ａとＬＥＤ５ｂの点灯デューティ（ｄｕｔｙ）を調整して、ＬＥＤ５ａとＬＥＤ５ｂの出力調整を行う。
【００３６】
読取部制御回路（制御手段）２１は、ＬＥＤ駆動ドライバ２２とＬＥＤ駆動ドライバ２３にＬＥＤ駆動制御信号を出力して、ＬＥＤ駆動ドライバ２２とＬＥＤ駆動ドライバ２３によるＬＥＤ５ａとＬＥＤ５ｂの点灯デューティ（設定光量）を制御する。
【００３７】
そして、読取制御回路２１は、原稿Ｇの読み取りに先立って、第１走行体と第２走行体を白基準板４を読み取る位置に移動させて、ＬＥＤ駆動ドライバ２２とＬＥＤ駆動ドライバ２３によりＬＥＤ５ａとＬＥＤ５ｂの点灯デューティをそれぞれ個別に制御して、白基準板４に照射させて、このときの白基準板４の反射光のＣＣＤ１０の出力に基づいて、原稿Ｇを読み取る際のＬＥＤ５ａとＬＥＤ５ｂの点灯デューティ制御を行う。
【００３８】
次に、本実施例の作用を説明する。本実施例のスキャナ１は、原稿Ｇの読み取りに先立って２つのＬＥＤ５ａとＬＥＤ５ｂを個別に光量調整する。
【００３９】
すなわち、スキャナ１は、原稿Ｇの読み取りに先立って、図４に示すように、ＬＥＤ５ａ、５ｂのデューティ（ｄｕｔｙ）調整を開始し（ステップＳ１０１）、まず、走行体モータの駆動を制御して、スキャンラインが白基準板４に位置するように第１走行体と第２走行体を移動させる（ステップＳ１０２）。
【００４０】
そして、読取制御回路２１が、ＬＥＤ５ａのデューティを所定光量である５０％に設定して、図５（ａ）及び図６に示すように、ＬＥＤ駆動ドライバ２２にＬＥＤ５ａを点灯駆動させ（ステップＳ１０３）、このＬＥＤ５ａを点灯させたときの白基準板４からの反射光をＣＣＤ１０に入射させてＣＣＤ１０で光電変換した白出力データ（ｄａｔａ１）をモニタする（ステップＳ１０４）。
【００４１】
読取制御回路２１は、このＬＥＤ５ａのみ点灯させたときの白出力データ（ｄａｔａ１）に基づいて、２灯同時点灯時に最適な点灯デューティ（ｄｕｔｙ）を算出する（ステップＳ１０５）。
【００４２】
次に、読取制御回路２１は、ＬＥＤ５ｂのデューティを所定光量である５０％に設定して、図５（ｂ）及び図６に示すように、ＬＥＤ駆動ドライバ２３にＬＥＤ５ｂを点灯駆動させ（ステップＳ１０６）、このＬＥＤ５ｂを点灯させたときの白基準板４からの反射光をＣＣＤ１０に入射させてＣＣＤ１０で光電変換した白出力データ（ｄａｔａ２）をモニタする（ステップＳ１０７）。
【００４３】
読取制御回路２１は、このＬＥＤ５ｂのみ点灯させたときの白出力データ（ｄａｔａ２）に基づいて、２灯同時点灯時に最適な点灯デューティ（ｄｕｔｙ）値を算出する（ステップＳ１０８）。
【００４４】
スキャナ１は、このようにして２つのＬＥＤ５ａとＬＥＤ５ｂの光量（デューティ）を個別に調整すると、通常の読取動作を行って、まず、白基準板４を読み取ってシェーディング補正用の白基準データを取得した後、走行体モータをコンタクトガラス３の下方の原稿読取開始位置に移動させて、原稿Ｇの読取を開始する。このとき、読取制御回路２１は、図５（ｃ）及び図６に示すように、ＬＥＤ５ａとＬＥＤ５ｂを上記算出した点灯デューティ値で点灯させる。
【００４５】
このように、本実施例のスキャナ１は、相対向して配置された２灯のＬＥＤ５ａ、５ｂから原稿Ｇに光を照射して当該原稿Ｇからの反射光をＣＣＤ１０に導入してＣＣＤ１０が入射光を光電変換することで当該原稿Ｇを読み取るに際して、読取部制御回路２１が、原稿Ｇの読取前に、２灯のそれぞれのＬＥＤ５ａ、５ｂをＬＥＤ駆動ドライバ２２、２３に独立して所定光量である５０％デューティで順次点灯させて、各ＬＣＤ５ａ、５ｂを独立して順次点灯させたときの白基準板４からの反射光のＣＣＤ１０の光電変換量に基づいて、原稿読取時の２灯のＬＥＤ５ａ、５ｂを同時に点灯させたときの設定光量を各ＬＣＤ５ａ、５ｂ毎に、ＬＥＤ駆動ドライバ２２、２３に設定し、当該原稿の読取時に、ＬＥＤ駆動ドライバ２２、２３が、当該設定光量で２灯のＬＥＤ５ａ、５ｂをそれぞれ点灯駆動させている。
【００４６】
したがって、適正な光量を各ＬＥＤ５ａ、５ｂに対して設定して点灯して、２灯同時点灯時においても、十分なＣＣＤ１０の出力レベルを得ることができるとともに、Ｓ／Ｎをも向上させることができ、読取画像の画像品質を向上させることができる。
【実施例２】
【００４７】
図７〜図９は、本発明の画像読取装置の第２実施例を示す図であり、本実施例は、請求項２に対応するものである。
【００４８】
なお、本実施例は、上記第１実施例のスキャナ１と同様のスキャナに適用したものであり、本実施例の説明においては、必要に応じて、上記第１実施例の説明で用いた符号をそのまま用いて説明する。
【００４９】
本実施例のスキャナ１は、２個の光源であるＬＥＤ５ａとＬＥＤ５ｂを原稿Ｇの読取前に個別に光量調整した後、同時点灯した結果に基づいて光量調整する。
【００５０】
すなわち、スキャナ１は、原稿Ｇの読取前に、図７に示すように、ＬＥＤ５ａ、５ｂのデューティ（ｄｕｔｙ）調整を開始し（ステップＳ２０１）、まず、走行体モータの駆動を制御して、スキャンラインが白基準板４に位置するように第１走行体と第２走行体を移動させる（ステップＳ２０２）。
【００５１】
そして、読取制御回路２１が、ＬＥＤ５ａのデューティを所定光量である５０％に設定して、図７に示すように、ＬＥＤ駆動ドライバ２２にＬＥＤ５ａを点灯駆動させ（ステップＳ２０３）、このＬＥＤ５ａを点灯させたときの白基準板４からの反射光をＣＣＤ１０に入射させてＣＣＤ１０で光電変換した白出力データ（ｄａｔａ１）をモニタする（ステップＳ２０４）。
【００５２】
読取制御回路２１は、このＬＥＤ５ａのみ点灯させたときの白出力データ（ｄａｔａ１）に基づいて、２灯同時点灯時に最適な点灯デューティ（ｄｕｔｙ）を算出する（ステップＳ２０５）。
【００５３】
次に、読取制御回路２１は、ＬＥＤ５ｂのデューティを所定光量である５０％に設定して、図７に示すように、ＬＥＤ駆動ドライバ２３にＬＥＤ５ｂを点灯駆動させ（ステップＳ２０６）、このＬＥＤ５ｂを点灯させたときの白基準板４からの反射光をＣＣＤ１０に入射させてＣＣＤ１０で光電変換した白出力データ（ｄａｔａ２）をモニタする（ステップＳ２０７）。
【００５４】
読取制御回路２１は、このＬＥＤ５ｂのみ点灯させたときの白出力データ（ｄａｔａ２）に基づいて、２灯同時点灯時に最適な点灯デューティ（ｄｕｔｙ）値を算出する（ステップＳ２０８）。
【００５５】
このようにして２つのＬＥＤ５ａとＬＥＤ５ｂの光量（デューティ）を個別に調整すると、読取制御回路２１は、２個のＬＥＤ５ａ、５ｂを同時点灯させた状態での光量調整を開始し（ステップＳ２０９）、上記ＬＥＤ５ａとＬＥＤ５ｂを個別に調整して算出した最適なデューティ値で同時点灯させる（ステップＳ２１０）。
【００５６】
次に、読取制御回路２１は、図８及び図９に示すように、このＬＥＤ５ａとＬＥＤ５ｂを同時点灯させたときの白基準板４からの反射光をＣＣＤ１０に入射させてＣＣＤ１０で光電変換した白出力データ（ｄａｔａ３）をモニタし（ステップＳ２１１）、モニタした白出力データ（ｄａｔａ３）に基づいて各ＬＥＤ５ａ、５ｂの最適な最終点灯デューティ（ｄｕｔｙ）を算出する（ステップＳ２１２）。
【００５７】
すなわち、通常、２灯構成において若干出力が上がる傾向になるので、ＬＥＤ５ａ、５ｂの２灯点灯時のＣＣＤ出力データ（ｄａｔａ３）をモニタし、２灯点灯時の最適な出力が得られるよう制御する。例えば、目標とするＣＣＤ１０の出力レベルより１０％高い場合は、各ＬＥＤ５ａ、５ｂのデューティ（ｄｕｔｙ）値を―５％下げるように算出する。具体的には、ＬＥＤ５ａのデューティ（ｄｕｔｙ）：５０％の場合は、５０％＊０．９５＝４７．５％）とする。
【００５８】
スキャナ１は、このようにして２つのＬＥＤ５ａとＬＥＤ５ｂの光量（デューティ）を個別に調整した後総合して調整すると、通常の読取動作を行って、まず、白基準板４を読み取ってシェーディング補正用の白基準データを取得した後、走行体モータをコンタクトガラス３の下方の原稿読取開始位置に移動させて、原稿Ｇの読取を開始する。このとき、読取制御回路２１は、図８に原稿読取時のデータとして示し、図９に光量調整後全体白波形として示すように、ＬＥＤ５ａとＬＥＤ５ｂを上記算出した最終点灯デューティ値で点灯させる。
【００５９】
このように、本実施例のスキャナ１は、読取部制御回路２１が、２灯のＬＥＤ５ａ、５ｂをそれぞれ独立して点灯させてＬＥＤ駆動ドライバ２２、２３に設定光量を設定した後、ＬＥＤ駆動ドライバ２２、２３に２灯のＬＥＤ５ａ、５ｂを当該設定光量で同時に点灯させ、当該２灯のＬＥＤ５ａ、５ｂを同時に点灯させたときのＣＣＤ１０の光電変換量に基づいて、ＬＥＤ駆動ドライバ２２、２３の各ＬＥＤ５ａ、５ｂの設定光量を補正し、原稿Ｇの読取時に、ＬＥＤ駆動ドライバ２２、２３が、補正後の設定光量で２灯のＬＥＤ５ａ、５ｂをそれぞれ点灯駆動させている。
【００６０】
したがって、より一層適正な光量を各ＬＥＤ５ａ、５ｂに対して設定して点灯して、２灯同時点灯時においても、より一層適切なＣＣＤ１０の出力レベルを得ることができるとともに、Ｓ／Ｎをもより一層向上させることができ、読取画像の画像品質をより一層向上させることができる。
【実施例３】
【００６１】
図１０〜図１２は、本発明の画像読取装置の第３実施例を示す図であり、本実施例は、請求項３に対応するものである。
【００６２】
なお、本実施例は、上記第１実施例のスキャナ１と同様のスキャナに適用したものであり、本実施例の説明においては、必要に応じて、上記第１実施例の説明で用いた符号をそのまま用いて説明する。
【００６３】
本実施例のスキャナ１は、２個の光源であるＬＥＤ５ａとＬＥＤ５ｂのうちのいずれか一方のみを原稿Ｇの読取前に光量調整した後、当該調整結果を基に、同時点灯して光量調整する。
【００６４】
すなわち、スキャナ１は、原稿Ｇの読取前に、図１０に示すように、ＬＥＤ５ａ、５ｂのデューティ（ｄｕｔｙ）調整を開始し（ステップＳ３０１）、まず、走行体モータの駆動を制御して、スキャンラインが白基準板４に位置するように第１走行体と第２走行体を移動させる（ステップＳ３０２）。
【００６５】
そして、読取制御回路２１が、ＬＥＤ５ａのデューティを所定光量である５０％に設定して、図１１に示すように、ＬＥＤ駆動ドライバ２２にＬＥＤ５ａを点灯駆動させ（ステップＳ３０３）、図１２に破線で示すように、このＬＥＤ５ａを点灯させたときの白基準板４からの反射光をＣＣＤ１０に入射させてＣＣＤ１０で光電変換した白出力データ（ｄａｔａ１）をモニタする（ステップＳ３０４）。
【００６６】
読取制御回路２１は、このＬＥＤ５ａのみ点灯させたときの白出力データ（ｄａｔａ１）に基づいて、２灯同時点灯時に最適な点灯デューティ（ｄｕｔｙ）を算出する（ステップＳ３０５）。
【００６７】
次に、読取制御回路２１は、図１１に示すように、ＬＥＤ５ａについては、上記ステップＳ３０５で算出した最適な点灯デューティ（ｄｕｔｙ）を設定して、ＬＥＤ駆動ドライバ２２にＬＥＤ５ａを点灯駆動させ、ＬＥＤ５ｂについては、ＬＥＤ５ｂのデューティを５０％に設定して、ＬＥＤ駆動ドライバ２３にＬＥＤ５ｂを点灯駆動させ（ステップＳ３０６）、図１２に実線で示すように、ＬＥＤ５ａ及びＬＥＤ５ｂを点灯させたときの白基準板４からの反射光をＣＣＤ１０に入射させてＣＣＤ１０で光電変換した白出力データ（ｄａｔａ３）をモニタする（ステップＳ３０７）。
【００６８】
読取制御回路２１は、このＬＥＤ５ａとＬＥＤ５ｂを点灯させたときの白出力データ（ｄａｔａ３）に基づいて、図１１に示すように、２灯同時点灯時に最適な点灯デューティ（ｄｕｔｙ）を算出する（ステップＳ３０８）。
【００６９】
スキャナ１は、このようにして１つのＬＥＤ５ａの光量（デューティ）を個別に調整した後、２つのＬＥＤ５ａ、５ｂを点灯させて総合して光量（デューティ）を調整すると、通常の読取動作を行って、図１１に示すように、まず、白基準板４を読み取ってシェーディング補正用の白基準データを取得した後、走行体モータをコンタクトガラス３の下方の原稿読取開始位置に移動させて、原稿Ｇの読取を開始する。
【００７０】
このように、本実施例のスキャナ１は、読取部制御回路２１が、原稿Ｇの読取前に、２灯のＬＥＤ５ａ、５ｂのうちのいずれか１灯のＬＥＤ５ａ、５ｂをＬＥＤ駆動ドライバ２２、２３に所定光量で点灯させて、当該１灯のＬＥＤ５ａ、５ｂを点灯させたときの白基準板４からの反射光のＣＣＤ１０の光電変換量に基づいて、原稿読取時の２灯のＬＥＤ５ａ、５ｂを同時に点灯させたときの設定光量を各ＬＥＤ５ａ、５ｂ毎に、ＬＥＤ駆動ドライバ２２、２３に設定し、原稿Ｇの読取時に、ＬＥＤ駆動ドライバ２２、２３が、設定光量で２灯のＬＥＤ５ａ、５ｂをそれぞれ点灯駆動させている。
【００７１】
したがって、少ないＬＥＤ５ａ、５ｂの点灯回数で、適正な光量を各ＬＥＤ５ａ、５ｂに対して設定して点灯して、２灯同時点灯時においても、十分なＣＣＤ１０の出力レベルを得ることができるとともに、簡単にＳ／Ｎをも向上させることができ、読取画像の画像品質を向上させることができる。
【実施例４】
【００７２】
図１３及び図１４は、本発明の画像読取装置の第４実施例を示す図であり、本実施例は、請求項４及び請求項５に対応するものである。
【００７３】
なお、本実施例は、上記第１実施例のスキャナ１と同様のスキャナに適用したものであり、本実施例の説明においては、必要に応じて、上記第１実施例の説明で用いた符号をそのまま用いて説明する。
【００７４】
本実施例のスキャナ１は、２個の光源であるＬＥＤ５ａとＬＥＤ５ｂを原稿Ｇの読取前に個別に光量調整するとともに、異常判定を行って異常があると判定したＬＥＤ５ａまたはＬＥＤ５ｂの使用を中止する。
【００７５】
すなわち、スキャナ１は、原稿Ｇの読取前に、図１３に示すように、ＬＥＤ５ａ、５ｂのデューティ（ｄｕｔｙ）調整を開始し（ステップＳ４０１）、まず、走行体モータの駆動を制御して、スキャンラインが白基準板４に位置するように第１走行体と第２走行体を移動させる（ステップＳ４０２）。
【００７６】
そして、読取制御回路２１が、ＬＥＤ５ａのデューティを所定光量である５０％に設定して、図７に示すように、ＬＥＤ駆動ドライバ２２にＬＥＤ５ａを点灯駆動させ（ステップＳ４０３）、このＬＥＤ５ａを点灯させたときの白基準板４からの反射光をＣＣＤ１０に入射させてＣＣＤ１０で光電変換した白出力データ（ｄａｔａ１）をモニタする（ステップＳ４０４）。
【００７７】
読取制御回路２１は、モニタ結果に基づいてＣＣＤ１０の出力に異常が見られ、画像に影響があるかを判断する（ステップＳ４０５）。例えば、ＬＥＤ５ａのみを点灯したときに、図１４（ａ）に示すように、一部点灯不良やＬＥＤ５ａの一部光量ダウンにより、ＣＣＤ１０に出力低下があると、ＣＣＤ１０の出力に異常があり、画像に影響があると判断する。
【００７８】
そして、読取制御回路２１は、ステップＳ４０５で、ＣＣＤ１０の出力に異常がなく、画像に影響がないと判断すると、このＬＥＤ５ａのみ点灯させたときの白出力データ（ｄａｔａ１）に基づいて、２灯同時点灯時に最適な点灯デューティ（ｄｕｔｙ）を算出し（ステップＳ４０６）、ＣＣＤ１０の出力に異常があり、画像に影響があると判断すると、ＬＥＤ５ａの使用を禁止（ＮＧ）とする（ステップＳ４０７）。
【００７９】
次に、読取制御回路２１は、ＬＥＤ５ａを消灯させて、ＬＥＤ５ｂのデューティを所定光量である５０％に設定して、ＬＥＤ駆動ドライバ２３にＬＥＤ５ｂを点灯駆動させ（ステップＳ４０８）、このＬＥＤ５ｂを点灯させたときの白基準板４からの反射光をＣＣＤ１０に入射させてＣＣＤ１０で光電変換した白出力データ（ｄａｔａ２）をモニタする（ステップＳ４０９）。
【００８０】
読取制御回路２１は、モニタ結果に基づいてＣＣＤ１０の出力に異常が見られ、画像に影響があるかを判断する（ステップＳ４１０）。例えば、ＬＥＤ５ｂのみを点灯したときに、図１４（ｂ）に示すように、一部点灯不良やＬＥＤ５ａの一部光量ダウンがなく、ＣＣＤ１０に出力に低下がないと、ＣＣＤ１０の出力に異常がなく、画像に影響がないと判断する。
【００８１】
そして、読取制御回路２１は、ステップＳ４１０で、ＣＣＤ１０の出力に異常がなく、画像に影響がないと判断すると、このＬＥＤ５ｂのみ点灯させたときの白出力データ（ｄａｔａ２）に基づいて、２灯同時点灯時に最適な点灯デューティ（ｄｕｔｙ）を算出し（ステップＳ４１１）、ＣＣＤ１０の出力に異常があり、画像に影響があると判断すると、ＬＥＤ５ｂの使用を禁止（ＮＧ）とする（ステップＳ４１２）。
【００８２】
次に、読取制御回路２１は、ＬＥＤ５ｂのデューティを５０％に設定して、図７に示すように、ＬＥＤ駆動ドライバ２３にＬＥＤ５ｂを点灯駆動させ（ステップＳ２０６）、このＬＥＤ５ｂを点灯させたときの白基準板４からの反射光をＣＣＤ１０に入射させてＣＣＤ１０で光電変換した白出力データ（ｄａｔａ２）をモニタする（ステップＳ２０７）。
【００８３】
このようにして２つのＬＥＤ５ａとＬＥＤ５ｂに異常がないときには、読取制御回路２１は、上記設定したデューティ（ｄｕｔｙ）値でＬＥＤ５ａ、５ｂを同時に点灯させて原稿の読み取りを行う。
【００８４】
また、読取制御回路２１は、上記処理で、ＬＥＤ５ａとＬＥＤ５ｂのいずれかに異常があり、使用を禁止していると、上記設定したデューティ（ｄｕｔｙ）値を１つのＬＥＤ５ａまたはＬＥＤ５ｂを点灯させたときに最適となる点灯デューティ（ｄｕｔｙ）に算出しなおして、当該算出しなおした点灯デューティ（ｄｕｔｙ）値でＬＥＤ５ａまたはＬＥＤ５ｂを点灯させて、原稿の読み取りを行う。
【００８５】
このように、本実施の形態のスキャナ１は、読取部制御回路２１が、２灯のＬＥＤ５ａ、５ｂをそれぞれＬＥＤ駆動ドライバ２２、２３に独立して所定光量で順次点灯させたときのＣＣＤ１０の出力光量に基づいて、ＬＥＤ５ａ、５ｂの不点灯、ＬＥＤ５ａ、５ｂの主走査方向の一部分の光量不足等の光源異常現象の有無を検出して、当該光源異常現象から読取画像に異常画像が発生するか否かを判断し、当該異常画像が発生すると判断すると、当該異常現象のあるＬＥＤ５ａ、５ｂの点灯を消灯させるものとして、ＬＥＤ駆動ドライバ２２、２３に設定するとともに、原稿読取時の他のＬＥＤ５ａ、５ｂの設定光量をＬＥＤ駆動ドライバ２２、２３に設定し、ＬＥＤ駆動ドライバ２２、２３が、原稿読取時に、消灯の指示されたＬＥＤ５ａ、５ｂの点灯を消灯させるとともに、他のＬＥＤ５ａ、５ｂを設定光量で点灯駆動させている。
【００８６】
したがって、ＬＥＤ５ａ、５ｂに異常がある場合にも、適正な光量をＬＥＤ５ａ、５ｂに対して設定して点灯して、十分なＣＣＤ１０の出力レベルを得ることができるとともに、簡単にＳ／Ｎをも向上させることができ、読取画像の画像品質を向上させることができる。
【００８７】
なお、読取制御回路２１は、上記処理で、ＬＥＤ５ａとＬＥＤ５ｂのいずれかに異常があり、使用を禁止している場合、図１５に示すように、本来の１灯分の目標光量よりも高めに再設定し、原稿Ｇを読み取らせるようにしてもよい。
【００８８】
このようにすると、Ｓ／Ｎをより一層向上させることができ、読取画像の画像品質を向上させることができる。
【００８９】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００９０】
２灯以上の原稿をのこう量調整を適切に行って画像読取を行うファクシミリ装置、複写装置、スキャナ等に適用することができる。
【図面の簡単な説明】
【００９１】
【図１】本発明の画像読取装置の第１実施例を適用したスキャナの正面概略構成図。
【図２】図１の光源部分の拡大正面図。
【図３】図１のスキャナの読取制御部とＣＣＤ基板のブロック構成図。
【図４】図１のスキャナによるＬＥＤの光量調整処理を示すフローチャート。
【図５】図４のＬＥＤの光量調整処理で２個のＬＥＤを個別に点灯した場合（ａ）、（ｂ）と２個のＬＥＤを同時点灯した場合の出力の一例を示す図。
【図６】図４のＬＥＤの光量調整処理でのＬＥＤの点灯制御タイミングと出力データの関係を示す図。
【図７】本発明の画像読取装置の第２実施例を適用したスキャナによるＬＥＤの光量調整処理を示すフローチャート。
【図８】図７のＬＥＤの光量調整処理でのＬＥＤの点灯制御タイミングと出力データの関係を示す図。
【図９】図７のＬＥＤの光量調整処理で２個のＬＥＤの同時点灯時の光量調整前後の出力を示す図。
【図１０】本発明の画像読取装置の第３実施例を適用したスキャナによるＬＥＤの光量調整処理を示すフローチャート。
【図１１】図１０のＬＥＤの光量調整処理でのＬＥＤの点灯制御タイミングと出力データの関係を示す図。
【図１２】図１０のＬＥＤの光量調整処理で２個のＬＥＤの同時点灯時の出力と１個のＬＥＤのみの点灯時の出力を示す図。
【図１３】本発明の画像読取装置の第４実施例を適用したスキャナによるＬＥＤの光量調整処理を示すフローチャート。
【図１４】図１３のＬＥＤの光量調整処理で一部点灯不良のあるＬＥＤの出力（ａ）と正常ＬＥＤの出力（ｂ）の一例を示す図。
【図１５】図１３のＬＥＤの光量調整処理で１個の正常なＬＥＤで読み取りを行う場合の出力の説明図。
【符号の説明】
【００９２】
１  スキャナ
２  本体筐体
３  コンタクトガラス
４  白基準板
５  光源
５ａ、５ｂ  ＬＥＤ
６  第１ミラー
７  第２ミラー
８  第３ミラー
９  レンズ
１０  ＣＣＤ
１１  露光走査光学系
１２  ＣＣＤ基板
２０  読取制御部
２１  読取制御回路
２２、２３  ＬＥＤ駆動ドライバ
２４  ＬＥＤ電源部
Ｇ  原稿
【図１】
2005151269.tif 000003
【図２】
2005151269.tif 000004
【図３】
2005151269.tif 000005
【図４】
2005151269.tif 000006
【図５】
2005151269.tif 000007
【図６】
2005151269.tif 000008
【図７】
2005151269.tif 000009
【図８】
2005151269.tif 000010
【図９】
2005151269.tif 000011
【図１０】
2005151269.tif 000012
【図１１】
2005151269.tif 000013
【図１２】
2005151269.tif 000014
【図１３】
2005151269.tif 000015
【図１４】
2005151269.tif 000016
【図１５】
2005151269.tif 000017